(57)【要約】【課題】  ラベルの一部を裏面側に折り返して隠蔽した状態で所定の被着体にラベルを貼付する機能を備えたラベルプリンタを提供すること。【解決手段】  繰出方向前方に位置する前部ラベル領域Ｌ１及びこれに連なる後部ラベル用域Ｌ２を備えたラベルＬに印字を行うラベルプリンタ１０であり、当該ラベルプリンタ１０は、ラベルＬに印字を行う印字手段１２と、ラベルＬを保持した状態で被着体Ｗに貼付する貼付手段１４と、前部ラベル領域Ｌ１を後部ラベル領域Ｌ２の裏面側に折り返す折り返し手段１５を備えている。貼付手段１４は、折り返し手段１５で前部ラベル領域Ｌ１が後部ラベル領域Ｌ２に折り返して接着された後に、ラベルＬを被着体Ｗに貼付するように設けられている。【選択図】          図２
2006160328.tif 000002
【特許請求の範囲】
【請求項１】
剥離シートの一方の面にラベルが仮着された原反を繰り出す途中で前記ラベルに印字を行う印字手段と、前記剥離シートからラベルを剥離する剥離手段と、当該剥離手段で剥離されたラベルを保持した状態で所定の被着体にラベルを押圧して貼付する貼付手段とを備えたラベルプリンタにおいて、
前記ラベルの一部を裏面側に折り返す折り返し手段が前記貼付手段に併設され、
前記貼付手段は、前記折り返し手段で裏面側に折り返されたラベルの一部領域を前記被着体との間に挟み込む状態で前記ラベルを被着体に貼付することを特徴とするラベルプリンタ。
【請求項２】
帯状の剥離シートの一方の面にラベルが仮着された原反を繰り出す途中で前記ラベルに印字を行う印字手段と、前記剥離シートからラベルを剥離する剥離手段と、当該剥離手段で剥離されたラベルを保持した状態で所定の被着体にラベルを押圧して貼付する貼付手段とを備えたラベルプリンタにおいて、
前記ラベルは、第１のラベル形成領域と、この第１のラベル形成領域に連なるとともに当該第１のラベル形成領域よりも平面積が大きい第２のラベル形成領域とを備えた形状をなし、
前記第１のラベル形成領域を第２のラベル形成領域の裏面側に折り返す折り返し手段が前記貼付手段に併設され、
前記貼付手段は、第１のラベル形成領域の粘着面を第２のラベル形成領域の粘着面に粘着して第１のラベル形成領域を被着体との間に挟み込む状態で第２のラベル形成領域を被着体に貼付することを特徴とするラベルプリンタ。
【請求項３】
前記折り返し手段は、前記貼付手段のラベル保持面に沿う第１の位置と、前記ラベル保持面に対向する第２の位置との間で回転可能な回転プレートを備え、当該回転プレートが前記ラベルの一部を吸着した状態で、前記第１の位置から第２の位置まで回転することで前記ラベルの折り返しが行われることを特徴とする請求項１又は２記載のラベルプリンタ。
【請求項４】
前記回転プレートのラベル保持面は、折り返されるラベル領域と略同一の面積に設けられていることを特徴とする請求項３記載のラベルプリンタ。
【請求項５】
前記折り返し手段は、非作動状態に維持可能に設けられ、前記貼付手段は折り返しを必要としないラベルの貼付が可能に設けられていることを特徴とする請求項１，２，３又は４記載のラベルプリンタ。
【発明の詳細な説明】
【技術分野】
【０００１】
本発明はラベルプリンタに係り、更に詳しくは、ラベルの一部を被着体との間に挟み込んで当該ラベルを貼付する機能を備えたラベルプリンタに関する。
【背景技術】
【０００２】
近時、インターネットやテレビショッピング等の普遍的な拡大に伴い、伝統的な店頭販売に加えて通信販売が普及するに至っている。後者の販売方法は、配送業者が販売者に代わって商品を消費者に届けるものであり、それに伴う代金支払いは、銀行振り込み、クレジットカードによる決済、郵便振替、コンビニエンスストアでの支払いが周知の手法として採用されている。この一方、金融機関等に出向く手間を面倒に感じる消費者や、個人情報の漏洩を危惧する消費者にとっては、代金引換方法が多く採用されている。
【０００３】
代金引換方法による場合には、配送業者が集金代行業務を兼務することになる関係上、消費者に商品を引き渡して集金を行った際に領収書を発行しなければならないことになる。この領収書は、梱包された商品の価値を金額より把握できる性質を有しているため、盗難防止等の観点からは秘匿すべき情報となる。また、梱包された商品の内容を示す商品名等も、消費者のプライバシーに関わる秘匿情報となり、特に、商品名等は、配送業者にも知られたくない事項である。
この点、配送伝票の構造が複数枚の帳票を積層して束ねられたものであれば、当該配送伝票の一部に領収書や商品名記載を行って秘密性を担保した状態で商品を消費者に手渡すことができるが、このタイプの配送伝票を用いた場合には、ラベルプリンタがドットインパクトプリンタ等に限定されてしまうことになる。
そこで、利用できるプリンタの制約を解消するために、枚葉タイプの配送伝票を採用すればよいことになるが、当該配送伝票では、他人に見られたくない秘匿情報も外部より見えてしまうことになる。
【０００４】
特許文献１には、枚葉タイプの配送伝票として用いることができるラベルが開示されている。同ラベルは公開情報帳票部に秘匿情報帳票部が連設された枚葉タイプであり、秘匿情報帳票部を公開情報帳票部の裏面側に折り返して当該公開情報帳票部を被着体に貼付することで、秘匿情報帳票部を外部から見ることができない構成となっている。
【０００５】
【特許文献１】特開２００１−２４６８８２号公報
【発明の開示】
【発明が解決しようとする課題】
【０００６】
しかしながら、特許文献１に提案されている構成を備えたラベルは、折り返しの工程が必要なため、通常のラベルプリンタで印字して被着体に貼付することはできない。また、作業者の手作業によって被着体に貼付を行うと、ラベル貼付作業に多大な労力を消費する、という不都合がある。
【０００７】
［発明の目的］
本発明は、このような不都合に着目して案出されたものであり、その目的は、ラベルの一部を裏面側に折り返して隠蔽した状態で所定の被着体にラベルを貼付する機能を備えたラベルプリンタを提供することにある。
【課題を解決するための手段】
【０００８】
前記目的を達成するため、本発明のラベルプリンタは、剥離シートの一方の面にラベルが仮着された原反を繰り出す途中で前記ラベルに印字を行う印字手段と、前記剥離シートからラベルを剥離する剥離手段と、当該剥離手段で剥離されたラベルを保持した状態で所定の被着体にラベルを押圧して貼付する貼付手段とを備えたラベルプリンタにおいて、
前記ラベルの一部を裏面側に折り返す折り返し手段が前記貼付手段に併設され、
前記貼付手段は、前記折り返し手段で裏面側に折り返されたラベルの一部領域を前記被着体との間に挟み込む状態で前記ラベルを被着体に貼付する、という構成を採っている。
【０００９】
また、本発明のラベルプリンタは、帯状の剥離シートの一方の面にラベルが仮着された原反を繰り出す途中で前記ラベルに印字を行う印字手段と、前記剥離シートからラベルを剥離する剥離手段と、当該剥離手段で剥離されたラベルを保持した状態で所定の被着体にラベルを押圧して貼付する貼付手段とを備えたラベルプリンタにおいて、
前記ラベルは、第１のラベル形成領域と、この第１のラベル形成領域に連なるとともに当該第１のラベル形成領域よりも平面積が大きい第２のラベル形成領域とを備えた形状をなし、
前記第１のラベル形成領域を第２のラベル形成領域の裏面側に折り返す折り返し手段が前記貼付手段に併設され、
前記貼付手段は、第１のラベル形成領域の粘着面を第２のラベル形成領域の粘着面に粘着して第１のラベル形成領域を被着体との間に挟み込む状態で第２のラベル形成領域を被着体に貼付する、という構成を採っている。
【００１０】
本発明のラベルプリンタにおいて、前記折り返し手段は、前記貼付手段のラベル保持面に沿う第１の位置と、前記ラベル保持面に対向する第２の位置との間で回転可能な回転プレートを備え、当該回転プレートが、前記ラベルの一部を吸着した状態で、前記第１の位置から第２の位置まで回転することで前記ラベルの折り返しが行われるように構成されている。
【００１１】
また、前記回転プレートのラベル保持面は、折り返されるラベル領域と略同一の面積に設けられる、という構成を採っている。
【００１２】
更に、前記折り返し手段は、非作動状態に維持可能に設けられ、前記貼付手段は折り返しを必要としないラベルの貼付が可能に設けられる、という構成を採ることができる。
【発明の効果】
【００１３】
本発明のラベルプリンタによれば、剥離シートから剥離される個々のラベルを印字対象として当該ラベルの一部を裏面側に折り返す構成であるため、ラベル面に印字を行った後に、裏面側に折り返された領域内の印字内容を隠蔽した状態で被着体に貼付することが可能となる。
また、折り返し手段を構成する回転プレートのラベル保持面が、折り返されるラベルと略同一の平面積であるため、貼付手段に保持されているラベル領域の粘着面に粘着してしまうこともない。
更に、貼付手段は、ラベルの折り返しを必要としない場合でも被着体に貼付する動作が可能であり、貼付機構を備えたラベルプリンタとしての汎用性も維持することができる。
【発明を実施するための最良の形態】
【００１４】
以下、本発明の実施の形態について図面を参照しながら説明する。
【００１５】
図１には、本実施形態に係るラベルプリンタの概略正面図が示されている。この図において、ラベルプリンタ１０は、フレームＦと、当該フレームＦの領域内に設けられるとともに、帯状をなす剥離シートＳの一方の面にラベルＬが仮着された原反Ｍを繰出可能に支持する支持ロール１１と、原反Ｍを繰り出す途中で前記ラベルＬに印字を行う印字手段１２と、剥離シートＳからラベルＬを剥離する剥離手段１３と、当該剥離手段１３で剥離されたラベルＬを被着体Ｗに貼付する貼付手段１４と、ラベルＬの一部を裏面側に折り返す折り返し手段１５と、前記原反Ｍを所定のタイミングで繰り出す繰出手段１６と、ラベルＬが剥離された後の剥離シートＳを巻き取る巻取手段１７とを備えて構成されている。
【００１６】
本実施形態における原反Ｍは、図２に示されるように、剥離シートＳの延出方向に沿って所定間隔毎にラベルＬが粘着面を介して仮着されたものが採用されている。この原反Ｍは、剥離シートＳと同一幅となる帯状のラベル基材にラベル形状に対応した切り込み（ハーフカット）を所定間隔毎に形成し、ラベルＬの外周側のラベル基材部分をカスとして剥離することによって形成することができる。但し、ハーフカットを形成するダイカット装置や、カス巻取装置をラベルプリンタ１０内に設けることにより、ラベルＬを形成しながら当該ラベルＬに印字を行うこともできる。
【００１７】
前記ラベルＬは、第１のラベル形成領域を構成する前部ラベル領域Ｌ１（図３中左側斜線領域）と、これに連設された第２のラベル形成領域を構成する後部ラベル領域Ｌ２（同図中右側斜線領域）とにより構成されている。前部ラベル領域Ｌ１は、後部ラベル領域Ｌ２の裏面すなわち粘着面側に折り返される領域となるものであり、この前部ラベル領域Ｌ１に公開を欲しない秘匿情報が印字され、後部ラベル領域Ｌ２には、例えば、被着体が宅配商品である場合の当該商品の受取人住所、送り主等、秘匿の必要性のない情報が印字されるようになっている。ここで、後部ラベル領域Ｌ２の縦横辺長さは、図３及び図４に示されるように、前部ラベル領域Ｌ１の縦横辺長さよりも長く設けられて平面積が大きく設定されている。従って、それらの境界線となる折り曲げ線Ｃ１位置で前部ラベル領域Ｌ１を後部ラベル領域Ｌ２の粘着面側に折り返したときに、前部ラベル領域Ｌ１の三方の外周側に、後部ラベル領域Ｌ２の粘着剤面が残されて被着体Ｗへの粘着面が維持されることとなる。また、前部ラベル領域Ｌ１の面内略中央部には、原反Ｍの繰出方向に沿う切り込み線Ｃ２が形成されているとともに、当該前部ラベル領域Ｌ１を後部ラベル領域Ｌ２の裏面側に折り返したときの前部ラベル領域Ｌ１の外縁及び切り込み線Ｃ２に対応する位置に切り取りを可能とするミシン目Ｃ３が形成されている。なお、切り込み線Ｃ２はミシン目でもよい。
【００１８】
前記印字手段１２は、ロール状に巻回されたインキリボンＲを保持するリボン保持ロール２０と、当該リボン保持ロール２０から繰り出されたインキリボンＲが巻き掛けられて所定の印字情報を印字する印字ヘッド２１と、原反Ｍを介して印字ヘッド２１に対向するプラテン２２と、インキリボンＲのリボン巻取ロール２３と、当該リボン巻取ロール２３を回転駆動させる図示しない駆動装置とを備えて構成されている。本実施形態における印字ヘッド２１はサーマルヘッドにより構成され、インキリボンＲを使用して印字しているが、感熱紙によってラベルＬを構成すればインキリボンＲは不要である。また、サーマルヘッドに替えて、インクジェットプリンタ、レーザプリンタ等も採用することができる。
【００１９】
前記剥離手段１３は、前記印字ヘッド２１に対して、原反Ｍの繰出方向下流側に配置されたピールプレート２７により構成され、当該ピールプレート２７の先端位置で、原反Ｍを急激に反転させることで、剥離シートＳからラベルＬが一枚ずつ剥離できるように構成されている。
【００２０】
前記貼付手段１４は、前記フレームＦの背面側に固定されたブラケット３０を介して着脱自在に固定されている。この貼付手段１４は、ラベルＬの後部ラベル領域Ｌ２を保持する後部ラベル保持面３２Ａを有する吸着プレート３２と、当該吸着プレート３２を支持するシリンダ装置３４とを備えて構成されている。後部ラベル保持面３２Ａの面内には図示しない多数の吸着孔が形成され、図示しない減圧ポンプの作動により、後部ラベル領域Ｌ２の吸着保持が行えるように構成されている。なお、吸着プレート３２は、シリンダ装置３４の作動によって被着体Ｗの被着面に対して進退可能に設けられている。
【００２１】
前記折り返し手段１５は、前記貼付手段１４の吸着プレート３２の側方に配置された回転プレート３６と、この回転プレート３６を回転させるモータＭ１とからなり、これら回転プレート３６及びモータＭ１は、平面視略Ｌ字状の支持アーム４０を介して前記フレームＦに着脱自在に支持されている。回転プレート３６は、図１中下面側が前部ラベル領域Ｌ１を吸着する前部ラベル保持面３６Ａとして形成され、当該前部ラベル保持面３６Ａは前部ラベル領域Ｌ１の大きさに略対応した隆起面として形成され（図６参照）、これにより、回転プレート３６が後述する第２の位置に回転したときに、後部ラベル領域Ｌ１の粘着剤面に回転プレート３６が粘着しないように保たれる。なお、前部ラベル保持面３６Ａも後部ラベル領域Ｌ２を保持する貼付手段１３の後部ラベル保持面３２Ａと同様の吸着孔を備えており、図示しない減圧ポンプの作動により前部ラベル領域Ｌ１を吸着する構成となっている。また、回転プレート３６は、前記吸着プレート３２の後部ラベル保持面３２Ａに沿う第１の位置と、当該後部ラベル保持面３２Ａに対向する第２の位置との間で回転可能に設けられている。アーム４０は、フレームＦへの固定側となる後部アーム片４０Ａと、この後部アーム片４０Ａの外方端に連なる屈曲アーム片４０Ｂを介して後部アーム片４０Ａと略平行に位置する前部アーム片４０Ｃとを含み、前記回転プレート３６は、前部及び後部のアーム片４０Ａ，４０Ｃに設けられた前後一対の軸４２を介して回転可能に設けられている。ここで、後部アーム片４０Ａ側に設けられた軸４２は前記モータＭ１の出力軸に連結されており、当該モータＭ１の回転駆動によって回転プレート３６が前記第１及び第２の位置間で回転可能となっている。
【００２２】
前記繰出手段１６は、駆動ロール４５と、当該駆動ロール４５との間に剥離シートＳを挟み込むピンチロール４６と、駆動ロール４５を回転駆動させるモータＭ２とにより構成されている。
【００２３】
前記巻取手段１７は、剥離シートＳのリード端を固定して当該剥離シートＳを巻き取る巻取ロール４７により構成されている。この巻取ロール４７は、前記フレームＦの背面側に図示しなし回転軸が突出しており、当該回転軸は、繰出手段１６を構成する前記モータＭ２の出力軸にプーリ、ベルト等の図示しない動力伝達手段を介して駆動可能に設けられ、これにより、剥離シートＳの巻き取りを行えるようになっている。
【００２４】
次に、本実施形態の全体動作について説明する。ここで、説明の便宜上、被着体Ｗは、宅配商品であるとし、ラベルＬは、当該商品の配達先情報等が印字されるものとする。
【００２５】
予め、図示しない入力装置及び制御装置を介して所定の印字情報が入力され、駆動手段１６のモータＭ２が駆動することにより、原反Ｍの繰り出しと、剥離シートＳの巻き取り動作が開始される。
ラベルＬは、印字ヘッド２１を通過する際に予め入力された情報が印字される。この印字に際し、前部ラベル領域Ｌ１の図３中下半部領域Ｌ１ｂには、例えば、領収金額、商品名等の秘匿情報及び日付等が印字された納品書であるとともに、上半部領域Ｌ１ａには、受取人住所、氏名等の情報が印字されて受け取りの捺印欄が印字された受領書となっている。そして、後部ラベル領域Ｌ２には、受取人住所、氏名、送り主の住所、名称若しくは氏名等が印字される。
【００２６】
印字されたラベルＬは、ピールプレート２７の先端位置で順次剥離され、前記吸着プレート３２の後部ラベル保持面３２Ａに沿って前方に進行しつつ第１の位置にある回転プレート３６の前部ラベル保持面３６Ａに前部ラベル領域Ｌ１が吸着されるとともに、吸着プレート３２に後部ラベル領域Ｌ２が吸着され、保持される。
【００２７】
次いで、モータＭ１の駆動により回転プレート３６が第１の位置から第２の位置に回転して前部ラベル領域Ｌ１が折り返される。すなわち、前部ラベル領域Ｌ１の粘着面が後部ラベル領域Ｌ２の粘着面に粘着されて略二枚厚となる（図５及び図６参照）。この状態では、折り返された前部ラベル領域Ｌ１の三方外周側には、後部ラベル領域Ｌ２の粘着面が表出した状態に保たれる。
【００２８】
このようにして折り返しが完了すると、回転プレート３６は第１の位置に復帰し、吸着プレート３２の後部ラベル保持面３２Ａがシリンダ３４の作動によって下降し、下方を搬送されてくる被着体Ｗの上面にラベルＬを貼付することとなる。
【００２９】
被着体ＷにラベルＬを貼付した状態では、図７に示されるように、略方形の外形を備えた状態でラベルＬが貼付された状態となり、前部ラベル領域Ｌ１が後部ラベル領域Ｌ２と被着体Ｗとの間に挟まれた状態となる。従って、配送業者は、後部ラベル領域Ｌ２に印字された受取人の住所、氏名を参照して配達を行うことができる。
そして、被着体Ｗを受取人に引き渡した配送業者は、図８に示されるように、ミシン目Ｃ３及び切り込み線Ｃ２に沿って前部ラベルＬ１の上半部領域Ｌ１ａを切り取って受領印の捺印を依頼してこれを回収する一方、受取人は、下半部領域Ｌ１ｂをミシン目Ｃ３に沿って切り取って、依頼した商品名や、領収金額等を確認し、配達された物品（内容物）と一致することを確認する納品書として機能する。
【００３０】
従って、このような実施形態によれば、枚葉タイプのラベルを用いて印字を行い、秘匿情報を隠蔽した状態で被着体に貼付する機能を備えたラベルプリンタを提供することが可能となる。
【００３１】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３２】
例えば、本発明に適用されるラベルＬは、前記した図示構成例に限定されるものではなく、図９（Ａ）〜（Ｄ）に示されるように、前部ラベル領域Ｌ１を後部ラベル領域Ｌ２の裏面側に折り返した状態で、前部及び後部ラベル領域Ｌ１，Ｌ２の一部切り取りを容易に行うための切欠部５０を予め形成したものであってもよい。また、図９（Ｅ）に示されるように、前部ラベル領域Ｌ１が折り返されたときに、後部ラベル領域Ｌ２からはみ出た状態となって、そのはみ出た部分を引っ張ることによって切り取りを容易にするようにしてもよい。
【００３３】
また、ラベルＬの平面形状は、方形に限らず、多角形、円形、楕円形等、種々の平面形状を備えたものを対象とすることができる。要するに、本発明は、ラベルに印字を行って秘匿情報を隠した状態で貼付する機能を備えたものである限り、種々の設計変更が可能となる。
【００３４】
更に、前記実施形態では、前部ラベル領域Ｌ１が折り返される場合を示したが、折り返し手段１５を非作動状態に維持するモードを予め設定しておくこともできる。すなわち、折り返しを必要としないラベルに印字を行って被着体Ｗに貼付するだけで足りる場合には、折り返し手段１５の回転プレート３６は第１の位置を維持したままの状態に保たれ、貼付手段１４の吸着プレート３２がラベルＬを保持して貼付することができる。このような利用形態の選択を可能とすることで、本発明に係るラベルプリンタ１０の汎用性を付与することができる。
【００３５】
また、前記実施形態では、第１のラベル形成領域が前部ラベル領域Ｌ１とされる一方、第２のラベル形成領域が後部ラベル形成Ｌ２とされた場合を図示、説明したが、本発明はこれに限定されるものではない。すなわち、折り返し手段１５の取付位置を変更することにより、ラベルＬの繰出方向と直交する幅方向にラベルＬを折り返すこと等もできる。要するに、本発明は、ラベルＬの一部領域を被着体Ｗとの間に挟み込むことができるように折り返しが可能であれば足りる。
【００３６】
更に、前部ラベル領域Ｌ１の裏面には糊面がなくてもよい（この場合、糊面上に非接着処理を施すことも含まれる）。すなわち、折り返された前部ラベル領域Ｌ１を接着保持するには、後部ラベル領域Ｌ２の裏面の糊面があれば足りる。また、その逆に、前部ラベル領域Ｌ１の裏面が糊面となっている場合には、後部ラベル領域Ｌ２の前部ラベル領域Ｌ１が折り返される部分には糊面がなくてもよい。
【図面の簡単な説明】
【００３７】
【図１】本実施形態に係るラベルプリンタの概略正面図。
【図２】前記ラベルプリンタの概略斜視図。
【図３】前記ラベルプリンタに使用されるラベルの平面図。
【図４】前記ラベルを折り返して被着体に貼付する状態を示す概略正面図。
【図５】回転プレートが第２の位置に回転した状態を示すラベルプリンタの概略正面図。
【図６】図５の一部拡大正面図。
【図７】被着体にラベルが貼付された状態を示す概略斜視図。
【図８】被着体に貼付されたラベルから前部ラベル領域に対応する部分を切り取る状態を示す概略斜視図。
【図９】（Ａ）〜（Ｅ）は前記ラベルプリンタに適用されるラベルの変形例を示す概略斜視図。
【符号の説明】
【００３８】
１０  ラベルプリンタ
１２  印字手段
１３  剥離手段
１４  貼付手段
１５  折り返し手段
２１  印字ヘッド
３２  吸着プレート
３２Ａ  後部ラベル保持面
３６  回転プレート
３６Ａ  前部ラベル保持面
Ｓ  剥離シート
Ｌ  ラベル
Ｌ１  前部ラベル領域（第１のラベル形成領域）
Ｌ２  後部ラベル領域（第２のラベル形成領域）
Ｍ  原反
【図１】
2006160328.tif 000003
【図２】
2006160328.tif 000004
【図３】
2006160328.tif 000005
【図４】
2006160328.tif 000006
【図５】
2006160328.tif 000007
【図６】
2006160328.tif 000008
【図７】
2006160328.tif 000009
【図８】
2006160328.tif 000010
【図９】
2006160328.tif 000011